(57)【要約】【課題】組み替えによりコストを節減しつつ意匠性も向上する。【解決手段】建屋の壁の開口部に嵌め込まれる窓枠の内側に障子を建て込んで構成されるサッシであって、  障子を金属製の上下框と左右の縦框とから構成し、この金属障子Ｄ１を、  金属障子を摺動自在に収納可能に構成された金属製の金属枠Ｆ１又は  金属障子Ｄ１を摺動自在に収納可能に構成された金属製の金属枠Ｆ１又はＦａの屋内側に、開口部Ａの閉鎖時に金属障子Ｄ１の見付け面を覆う大きさの合成樹脂製樹脂枠Ｐ１又はＰ２を結合してなるとともに、樹脂枠の屋内側見付面に建物を構成する室内壁を配置可能とした断熱枠Ｆ２又はＦ３のうちいずれか一方の窓枠の内側に建て込む。【選択図】図３
2007146442.tif 000002
【特許請求の範囲】
【請求項１】
建屋の壁の開口部に嵌め込まれる窓枠の内側に障子を建て込んで構成されるサッシであって、
前記障子を金属製の上下框と左右の縦框とから構成し、この金属障子を、
前記金属障子を摺動自在に収納可能に構成された金属製の金属枠
又は
前記金属障子を摺動自在に収納可能に構成された金属製の金属枠の屋内側に、前記開口部の閉鎖時に前記金属障子の見付け面を覆う大きさの合成樹脂製樹脂枠を結合してなるとともに、上記樹脂枠の屋内側見付面に建物を構成する室内壁を配置可能とした断熱枠
のうちいずれか一方の窓枠の内側に建て込むことを特徴とする組み替え断熱サッシ。
【請求項２】
前記断熱枠は、選択されるべき他方の金属枠に合成樹脂製樹脂枠を結合したものである、請求項１に記載の組み替え断熱サッシ。
【請求項３】
建屋の壁の開口部に嵌め込まれる窓枠の内側に障子を建て込んで構成されるサッシであって、
前記障子を金属製の上下框と左右の縦框と合成樹脂とを組み合わせた断熱障子とし、この断熱障子を、
前記断熱障子を摺動自在に収納可能に構成された金属製の金属枠の屋内側に合成樹脂製樹脂枠を結合してなる断熱枠
又は
前記断熱障子を摺動自在に収納可能に構成された金属製の金属枠の屋内側に、前記開口部の閉鎖時に前記金属障子の見付け面を覆う大きさの合成樹脂製樹脂枠を結合してなるとともに、樹脂枠の屋内側見付面に建物を構成する室内壁を配置可能とした断熱枠
のうちいずれか一方の窓枠の内側に建て込むことを特徴とする組み替え断熱サッシ。
【請求項４】
前記２つの断熱枠のうち後者の断熱枠は、前者の断熱枠の金属枠に合成樹脂製樹脂枠を結合したものである、請求項３に記載の組み替え断熱サッシ。
【請求項５】
建屋の壁の開口部に嵌め込まれる窓枠の内側に障子を建て込んで構成されるサッシであって、
前記障子を、
金属製の上下框と左右の縦框とから構成した金属障子又は金属製の上下框と左右の縦框と合成樹脂とを組み合わせた断熱障子とし、
前記金属障子を建て込むときは、
前記金属障子を摺動自在に収納可能に構成された金属製の金属枠
又は
前記金属障子を摺動自在に収納可能に構成された金属製の金属枠の屋内側に、前記開口部の閉鎖時に前記金属障子の見付け面を覆う大きさの合成樹脂製樹脂枠を結合してなる断熱枠
のうちいずれか一つの窓枠の内側に建て込み、
前記断熱障子を建て込むときは、
前記断熱障子を摺動自在に収納可能に構成された金属製の金属枠の屋内側に合成樹脂製樹脂枠を結合してなる断熱枠
又は
前記断熱障子を摺動自在に収納可能に構成された金属製の金属枠の屋内側に、前記開口部の閉鎖時に前記金属障子の見付け面を覆う大きさの合成樹脂製樹脂枠を結合してなるとともに、樹脂枠の屋内側見付面に建物を構成する室内壁を配置可能とした断熱枠
のうちいずれか一つの窓枠の内側に建て込むことを特徴とする組み替え断熱サッシ。
【請求項６】
前記断熱枠のうち金属障子を建て込む断熱枠は、選択されるべき他方の金属枠に合成樹脂製樹脂枠を結合したものであり、
前記断熱障子を建て込む２つの断熱枠のうち後者の断熱枠は、選択されるべき２つの断熱枠のうち前者の断熱枠の金属枠に合成樹脂製樹脂枠を結合したものである、請求項５に記載の組み替え断熱サッシ。
【請求項７】
建屋の壁の開口部に嵌め込まれる窓枠の内側に障子を建て込んで構成されるサッシであって、
金属製の上下框と左右の縦框とから構成した金属障子
又は
金属製の上下框と左右の縦框と合成樹脂とを組み合わせた断熱障子を、
金属製の金属枠の屋内側に、前記開口部の閉鎖時に前記金属障子の見付け面を覆う大きさの合成樹脂製樹脂枠を結合してなるとともに、上記樹脂枠の屋内側見付面に建物を構成する室内壁を配置可能とした断熱枠の内側に建て込むことを特徴とする組み替え断熱サッシ。
【請求項８】
前記室内壁は断熱性材料からなることを特徴とする、請求項１、３、５又は７に記載の断熱サッシ。
【請求項９】
前記樹脂枠の上枠および左右縦枠の開口縁部の屋内側に、室内壁の屋外側の端部に係合するアングル部を設けたことを特徴とする、請求項１、３、５又は７に記載の組み替え断熱サッシ。
【請求項１０】
前記障子のガラスをペアガラスとしたことを特徴とする、請求項１、３、５又は７に記載の組み替え断熱サッシ。
【請求項１１】
前記樹脂枠は前記障子の開口縁部まで延長形成したことを特徴とする、請求項１、３、５又は７に記載の組み替え断熱サッシ。
【発明の詳細な説明】
【技術分野】
【０００１】
本発明は、障子を中心にしていくつかの窓枠を組み替えることによって、主に温暖な地域と寒冷な地域との間の地域の微妙な環境に細かく対応できる組み替え断熱サッシに関する。
【背景技術】
【０００２】
一般に、温暖な地域では、金属製の窓枠に金属製の障子を摺動自在に収納する一般サッシが採用され、寒冷な地域では、金属部と合成樹脂部とを結合させた断熱枠に断熱障子を摺動自在に収納する断熱サッシが採用されている例が多い。
【０００３】
しかしながら、温暖な地域、寒冷な地域といっても一様ではないし、温暖な地域から急に寒冷な地域になるわけではない。その中間に属する地域では、一般サッシでは寒く感じ、あるいはその逆に断熱サッシではかえって暑く感じるという問題がある。つまり、温暖と寒冷の間には、やや温暖、少し温暖、少し寒冷、やや寒冷などのほか、同じ地域でも南側は暖かいが北側は寒いなど、その様相は様々である。２種類のサッシだけであらゆる地域に望まれる断熱性能を十分に満足することはできなかった。
【０００４】
このように、住環境は多様であるにもかかわらず、一般サッシと断熱サッシという２種類のサッシの中からしか選択できないというのでは、ユーザーの要望に十分に対応することはできない。
【０００５】
といって、断熱サッシの種類を多くして低いものから高いものまで、つまり低断熱から中断熱、高断熱までの多段階の断熱性能が得られるように、各段階向けのサッシを設計、生産するのでは、断熱サッシ自体の構造が複雑で高価であることを考慮すると、コストがかかり過ぎ、現実的ではない。
【０００６】
そこで、このような要請に対応するため、一般サッシも断熱サッシもそれぞれ障子と窓枠とを１セットにしていた生産方式を改め、金属障子と断熱障子、金属枠と断熱枠とを組み合わせたサッシ窓が知られている。
【特許文献１】特許第３３６７０１２号公報
【発明の開示】
【発明が解決しようとする課題】
【０００７】
しかしながら、単に既存の金属障子と断熱障子の対象窓枠として金属枠と断熱枠とを入れ替えるというだけでは、需要の多い組み合わせと少ない組み合わせがあるので、需要の少ない組み合わせのものを製造しすぎるという問題がある。
【０００８】
また、金属障子の金属部と断熱枠の樹脂枠や断熱障子の樹脂部と金属枠の金属部とを単純に組み合わせる方式では、特に内観が損なわれてしまうという問題がある。
【０００９】
本発明は上記問題点を解消し、単に既存の障子と窓枠の組み合わせサッシだけで対応するのではなく、さらに一般サッシと断熱サッシは金属を共通の素材としてもっているという原点に立ち返り、障子だけでなく組み替えの対象となる窓枠構造も共通化を図り、さらに壁も活用することにより無駄を少なくしてコストを節減しつつ意匠性にも配慮して内観にも優れ、もって多様な環境に応じたサッシの選択の幅を広げ、ユーザーが満足する快適な生活空間を提供することができる組み替え断熱サッシを提案することをその課題とする。
【課題を解決するための手段】
【００１０】
前記課題を解決するため、請求項１に係る発明は、建屋の壁の開口部に嵌め込まれる窓枠の内側に障子を建て込んで構成されるサッシであって、前記障子を金属製の上下框と左右の縦框とから構成し、この金属障子を、
前記金属障子を摺動自在に収納可能に構成された金属製の金属枠
又は
前記金属障子を摺動自在に収納可能に構成された金属製の金属枠の屋内側に、前記開口部の閉鎖時に前記金属障子の見付け面を覆う大きさの合成樹脂製樹脂枠を結合してなるとともに、上記樹脂枠の屋内側見付面に建物を構成する室内壁を配置可能とした断熱枠
のうちいずれか一方の窓枠の内側に建て込むことを特徴とする。
【００１１】
請求項２に係る発明は、請求項１において、前記断熱枠は、選択されるべき他方の金属枠に合成樹脂製樹脂枠を結合したものであることを特徴とする。
【００１２】
請求項３に係る発明は、建屋の壁の開口部に嵌め込まれる窓枠の内側に障子を建て込んで構成されるサッシであって、
前記障子を金属製の上下框と左右の縦框と合成樹脂とを組み合わせた断熱障子とし、この断熱障子を、
前記断熱障子を摺動自在に収納可能に構成された金属製の金属枠の屋内側に合成樹脂製樹脂枠を結合してなる断熱枠
又は
前記断熱障子を摺動自在に収納可能に構成された金属製の金属枠の屋内側に、前記開口部の閉鎖時に前記金属障子の見付け面を覆う大きさの合成樹脂製樹脂枠を結合してなるとともに、樹脂枠の屋内側見付面に建物を構成する室内壁を配置可能とした断熱枠
のうちいずれか一方の窓枠の内側に建て込むことを特徴とする。
【００１３】
請求項４に係る発明は、請求項３において、前記２つの断熱枠のうち後者の断熱枠は、前者の断熱枠の金属枠に合成樹脂製樹脂枠を結合したものであることを特徴とする。
【００１４】
請求項５に係る発明は、建屋の壁の開口部に嵌め込まれる窓枠の内側に障子を建て込んで構成されるサッシであって、
前記障子を、
金属製の上下框と左右の縦框とから構成した金属障子又は金属製の上下框と左右の縦框と合成樹脂とを組み合わせた断熱障子とし、
前記金属障子を建て込むときは、
前記金属障子を摺動自在に収納可能に構成された金属製の金属枠
又は
前記金属障子を摺動自在に収納可能に構成された金属製の金属枠の屋内側に、前記開口部の閉鎖時に前記金属障子の見付け面を覆う大きさの合成樹脂製樹脂枠を結合してなる断熱枠
のうちいずれか一つの窓枠の内側に建て込み、
前記断熱障子を建て込むときは、
前記断熱障子を摺動自在に収納可能に構成された金属製の金属枠の屋内側に合成樹脂製樹脂枠を結合してなる断熱枠
又は
前記断熱障子を摺動自在に収納可能に構成された金属製の金属枠の屋内側に、前記開口部の閉鎖時に前記金属障子の見付け面を覆う大きさの合成樹脂製樹脂枠を結合してなるとともに、樹脂枠の屋内側見付面に建物を構成する室内壁を配置可能とした断熱枠
のうちいずれか一つの窓枠の内側に建て込むことを特徴とする。
【００１５】
請求項６に係る発明は、請求項５において、前記断熱枠のうち金属障子を建て込む断熱枠は、選択されるべき他方の金属枠に合成樹脂製樹脂枠を結合したものであり、
前記断熱障子を建て込む２つの断熱枠のうち後者の断熱枠は、選択されるべき２つの断熱枠のうち前者の断熱枠の金属枠に合成樹脂製樹脂枠を結合したものであることを特徴とする。
【００１６】
請求項７に係る発明は、建屋の壁の開口部に嵌め込まれる窓枠の内側に障子を建て込んで構成されるサッシであって、
金属製の上下框と左右の縦框とから構成した金属障子
又は
金属製の上下框と左右の縦框と合成樹脂とを組み合わせた断熱障子を、
金属製の金属枠の屋内側に、前記開口部の閉鎖時に前記金属障子の見付け面を覆う大きさの合成樹脂製樹脂枠を結合してなるとともに、上記樹脂枠の屋内側見付面に建物を構成する室内壁を配置可能とした断熱枠の内側に建て込むことを特徴とする。
【００１７】
請求項８に係る発明は、請求項１、３、５又は７において前記室内壁は断熱性材料からなることを特徴とする。
【００１８】
請求項９に係る発明は、請求項１、３、５又は７において、前記樹脂枠の上枠および左右縦枠の開口縁部の屋内側に、室内壁の屋外側の端部に係合するアングル部を設けたことを特徴とする。
【００１９】
請求項１０に係る発明は、請求項１、３、５又は７において、前記障子のガラスをペアガラスとしたことを特徴とする。
【００２０】
請求項１１に係る発明は、請求項１、３、５又は７において、前記樹脂枠は前記障子の開口縁部まで延長形成したことを特徴とする。
【発明の効果】
【００２１】
本発明によれば、既存のサッシの枠組みの範囲内で金属枠に収納されるものとして構成された金属障子、あるいは断熱枠に収納されるものとして構成された断熱障子をそのまま活用しつつ、これらをいろいろな断熱枠と組み替え、さらに室内壁の断熱性も活用することにより、サッシ全体の断熱性能を低断熱から高断熱までの多段階に変更でき、サッシの選択の幅を広くすることができる。
【００２２】
また、単に既存の障子と窓枠とを適宜組み合わせるものではなく、断熱枠は金属部に一般サッシの金属枠を利用してその金属枠に樹脂枠を結合させたり、断熱サッシを構成している金属枠を利用し、その樹脂枠だけを替えたりすることによって別の断熱枠を製造するものである。したがって、樹脂枠に比べてコストの高い金属枠を共通化することによって、需要の寡多に対応できるので、材料の無駄が少なくなり、コストを節減することができる。
【００２３】
さらに、障子の開口部と窓枠の開口部と室内壁の開口部（上部と両側部）とを略同じにすることができるから、屋内側からは樹脂枠のみが見えることになるので、障子の框が金属であっても、ガラス面の周囲の部分があたかも単一の合成樹脂材で構成されているように見え、すっきりとして見栄えがよく、意匠性に優れる内観のサッシが得られる。
【００２４】
これらのことから、多様な環境に応じたサッシの選択の幅を広げ、ユーザーが満足する快適な生活空間を提供することができる。
【発明を実施するための最良の形態】
【００２５】
［実施形態１］
まず、金属障子と金属枠とから構成されるサッシの、特にその金属障子をそのまま生かしながら窓枠を発展的に組み替えることにより、断熱性能を多段階に変更できる組み替え断熱サッシの一実施形態について説明する。
【００２６】
基本となる金属サッシは図１および図２に示されるように、壁躯体１の開口部Ａに嵌め込まれた窓枠Ｆ１と、この窓枠Ｆ１の内側に建て込まれ、屋外側に水平方向に突出して開閉可能に配置された障子Ｄ１とから構成された平行窓サッシで、操作ハンドル２を回すことによりリンク機構（図示せず）を介して障子が屋外側に平行に開き移動するようになっている。なお、後に示す他のサッシも同じである。
【００２７】
障子Ｄ１は、金属製の上框３と下框４と左右の縦框５とを框組みすることによって構成された金属障子である。框の内側には断熱性の高いペアガラス６が嵌め込まれている。
【００２８】
窓枠Ｆ１は金属上枠７、金属下枠８および金属縦枠９を方形に枠組みした金属枠である。
【００２９】
金属上枠７は、主に、下方に障子Ｄ１を収納配置可能に形成された上枠本体１０と、上枠本体１０の屋内側から上方に突出する取付フィン１１ａと、建物開口部Ａの内周に配置された額縁１９ａの屋外側の端面に対する係合縁１２ａと、上枠本体１０の見込み面の下方に形成された仕切縁１３ａとから構成されている。上記係合縁１２ａの反対側の取付縁１４ａには合成樹脂製のアングル材１５ａが取り付けられている。
【００３０】
金属下枠８は、主に、上方に障子１を収納配置可能に形成された下枠本体１７と、下枠本体１７の屋内側から下方に突出する取付フィン１１ｂと、下枠本体１７の見込み面の上方に形成された仕切縁１３ｂと、建物開口部Ａの内周に配置された額縁１９ｂの屋外側の端面に係合する係合縁１２ｂとから構成されている。上記係合縁１２ｂの反対側の取付縁１４ｂには合成樹脂製のアングル材１５ｂが取り付けられている。
【００３１】
金属縦枠９は、主に、内側に障子を収納配置可能に形成された縦枠本体１８と、縦枠本体１８の屋内側から外側方に突出する取付フィン１１ｃと、建物開口部Ａの内周に配置された額縁１９ｃの屋外側の端面に対する係合縁１２ｃと、縦枠本体１８の内側方に形成された仕切縁１３ｃとから構成されている。上記係合縁１２ｃの反対側の取付縁１４ｃには合成樹脂製のアングル材１５ｃが取り付けられている。
【００３２】
上記金属枠Ｆ１の見込み面内に形成された仕切縁１３ａ、１３ｂ、１３ｃの先端近傍の室外側面にタイト材１６が取り付けられている。また、屋内側には網戸２０が取り付けられている。
【００３３】
次に、図３および図４は、前記図１および図２に示された金属サッシを生かして断熱性能を高めた組み替え断熱サッシの実施形態で、上記金属障子Ｄ１は、上記金属枠Ｆ１を活用した断熱枠Ｆ２に組み替えられた構成となっている。
【００３４】
障子は上述のものと同じ金属障子Ｄ１である。
【００３５】
断熱枠Ｆ２は屋外側の金属製の金属枠Ｆ１と屋内側の合成樹脂製の樹脂枠Ｐ１とを結合した構成である。金属枠Ｆ１は上述の図１および図２に示した金属枠Ｆ１と同じ構造で、アングル材１５ａ、１５ｂは除去されている。
【００３６】
そして、樹脂枠Ｐ１は樹脂上枠２１と樹脂下枠２２と左右の樹脂縦枠２３とから構成され、樹脂上枠２１は、中空部２４の上部に金属上枠７の取付縁１４ａに係合する係合部２５が形成され、屋内側には室内壁の一部である額縁１９ａに取付可能なアングル部２８ａが形成されている。
【００３７】
樹脂下枠２２は、屋外側には金属下枠８の仕切縁１３ｂの上部屋内側面に係合するＬ字形の係合縁２７が形成され、屋内側には金属下枠８のアングル材１５ｂ上に係合するＬ形縁３１が形成されている。
【００３８】
樹脂縦枠２３は、中空部２４の外側に金属縦枠９の取付縁１４ｃに係合する係合溝３２が形成され、また屋外側には金属縦枠９の仕切縁１３ｃに係合する係合縁２７ｃが形成されているとともに、屋内側には室内壁の一部である額縁１９ｃに取付可能なアングル部２８ｃが形成されている。
【００３９】
上記樹脂枠Ｐ１の係合縁２７ａ、２７ｃは金属障子Ｄ１の框材によって形成された開口縁部まで延長形成されている。
【００４０】
また、上記樹脂枠Ｐ１の屋内側見付面に建物を構成する室内壁、具体的には室内壁の開口部Ａを構成する額縁１９ａ、１９ｂ、１９ｃが配置されている。
【００４１】
上記樹脂枠Ｐ１は金属枠Ｆ１の見込み面の屋内側を覆うように配置され、金属障子Ｄ１の四周に設けられた框の見付け面を覆う大きさに形成されている。
【００４２】
なお、樹脂枠Ｐ１のアングル部２８ａ、２８ｂ、２８ｃは必ずしも金属障子Ｄ１の框の内周縁と見込み方向において面一に形成されている必要はない。それよりも内方に突出してもよい。
【００４３】
上述のように、上記組み替え断熱サッシは、図１および図２の金属サッシのうち、金属障子Ｄ１と金属枠Ｆ１をそのまま生かし、共通の金属枠Ｄ１に樹脂枠Ｐ１を取り付けて断熱枠Ｆ２とし、この断熱枠Ｆ２を上記金属枠Ｄ１に組み替えたもので、窓枠を断熱枠として断熱効果を高め、さらに樹脂枠Ｐ１が開口部Ａの閉鎖時に前記金属障子の見付け面を覆うことで、金属障子に対する断熱性能が高いものである。
【００４４】
また、障子に形成された開口部（ガラス面）と窓枠の開口部と室内壁の開口部（上部と両側部）とを略同じにすることができるから、屋内側からは樹脂枠のみが見えることになるので、障子の框が金属であっても、ガラス面の周囲の部分があたかも単一の合成樹脂材で構成されているように見え、すっきりした見栄えのよいサッシとなる。したがって、意匠性に優れる内観が得られる。
【００４５】
次に、図５および図６は、さらに別の組み替えの実施形態を示す断熱サッシで、上記金属障子Ｄ１は、上記断熱枠Ｆ２とはさらに別の専用断熱枠Ｆ３と組み替えられた構成となっている。
【００４６】
障子は上述のものと同じ金属障子Ｄ１である。
【００４７】
断熱枠Ｆ３は屋外側の金属製の金属枠Ｆａと屋内側の合成樹脂製の樹脂枠Ｐ２とを結合した構成である。
【００４８】
金属枠Ｆａは、上述のものと共通部分もあり、図３および図４に示したものと同じ部材は同じ符号で示し、説明を省略する。
【００４９】
金属上枠７の屋内側にはあり溝状の係止溝３３ａが形成されている。
【００５０】
金属下枠８の屋内側にも、同様の係止溝３３ｂが形成されている。仕切縁１３ｂはタイト材１６の嵌合溝部分までの長さとなっている。
【００５１】
金属縦枠９の内面にも係止溝３３ｃが形成されている。
【００５２】
このように、上記上枠７、下枠８および縦枠９には、樹脂枠Ｐ２を取りつけるための係止溝３３ａ、３３ｂ、３３ｃが形成されている。
【００５３】
そして、樹脂枠Ｐ２は樹脂上枠２１と樹脂下枠２２と左右の樹脂縦枠２３とから構成され、樹脂上枠２１は、中空部２４の上部に金属上枠７の係止溝３３ａに係止する爪状の係止部３５ａが形成され、また屋外側には金属上枠７の仕切縁１３ａに係止する係止溝３６が形成されているとともに、屋内側には室内壁の一部である額縁１９ａに取付可能なアングル部２８ａが形成されている。
【００５４】
樹脂下枠２２は下部下枠２２ａと上部下枠２２ｂとの二重構造になっており、下部下枠２２ａには金属下枠８の係止溝３３ｂに係止可能な爪状の係止部３５ｂが形成され、また屋外側は上記仕切縁１３ｂの上端に係合し、屋内側には開口部Ａの額縁１９ｂの上面に取付可能なアングル部２８ｂが形成されているとともに、上部には係止溝３８が形成されている。上部下枠２２ｂには、中空部２４の下部に下部下枠２２ａの係止溝３８に係止する爪状の係止部４２が形成され、中空部２４の屋内側にはアングル部２８ｂの上面に係合するＬ形部４３が形成され、また中空部２４の屋外側の面は上記仕切縁１３ｂの延長に沿って延長形成されている。
【００５５】
樹脂縦枠２３は、中空部２４の屋外側は仕切縁１３ｃに係合し、外方側には係止溝３３ｃに係止する係止部３５ｃが形成され、さらに屋内側には額縁１９ｃに取付可能なアングル部２８ｃが形成されている。
【００５６】
上記樹脂枠Ｐ２の屋外側に形成された中空部２４は金属障子の框材によって形成された開口縁部まで延長形成されている。
【００５７】
上記樹脂枠Ｐ２は、障子Ｄ１の閉鎖時には障子Ｄ１の框材の屋内側見付面を覆うように配置されている。また、障子Ｄ１の開口部（ペアガラスの面）と樹脂枠Ｐ２の内周に形成された開口部とはほぼ見込み方向に略面一か、または樹脂枠Ｐ２の方が小さくなるように配置されている。
【００５８】
さらに、樹脂枠Ｐ２の屋内側見付面には建物を構成する室内壁が配置可能とされ、樹脂枠Ｐ２の内周の開口部と室内壁を構成する額縁１９による開口部Ａの内周面とはほぼ屋内外方向（見込み方向）に略面一になるように配置されている。
【００５９】
上述のように、上記組み替え断熱サッシは、図３および図４の上記金属障子Ｄ１をそのまま生かし、上記金属障子Ｄ１を収納する窓枠を専用断熱枠Ｆａに組み替えたもので、窓枠が専用の断熱枠で、さらに樹脂枠Ｐ１が開口部Ａの閉鎖時に前記金属障子の見付け面を覆うとともに、樹脂枠Ｐ２の屋内側見付面には建物を構成する室内壁が配置可能で、樹脂枠Ｐ２の内周の開口部と室内壁を構成する額縁１９ａ、１９ｃによる開口部Ａの内周面とはほぼ見込み方向に略面一になるように配置されるから、さらに一層断熱性能を高めることができる。
【００６０】
また、障子の開口部と窓枠の開口部と室内壁の開口部（上部と両側部）とを略同じにすることができるから、屋内側からは樹脂枠のみが見えることになるので、障子の框が金属であっても、ガラス面の周囲の部分があたかも単一の合成樹脂材で構成されているように見え、すっきりした見栄えのよいサッシとなる。したがって、意匠性に優れる内観が得られる。
【００６１】
なお、図３〜図６において室内壁は額縁だけでなく、その周囲の部材も断熱材にして断熱性能をより高くするように構成してもよい。後述の例も同様である。
【００６２】
以上のことから、上述の組み替え断熱サッシによれば、図１６に示されるように、共通の金属障子Ｄ１に対し、
（１）金属枠Ｆ１
（２）断熱枠（上記金属枠を生かした枠）Ｆ２
（３）断熱枠（専用枠）Ｆ３
の３段階の異なる断熱性能を備えた窓枠の中から、住環境に最も適したものを選択することができる。
【００６３】
なお、断熱枠のうち断熱下枠は、図７のように、上述の図５に示した金属下枠８と樹脂下枠２２とを結合させて構成し、室内壁の下部額縁１９ｂを金属障子Ｄ１の下框４の上端と同じかそれよりも高くなるように構成してもよい。これによれば、さらに樹脂下枠２２に対する断熱効果も向上するので、さらに高い断熱性能を得ることができる。
【００６４】
また、図８および図９に示された断熱枠も断熱専用の断熱枠Ｆ６に含まれるものである。基本的構造は上述のものと同じなので、同じ符号を示して説明は省略する。なお、樹脂上枠２１の見込み面に示されるように、合成樹脂枠Ｐ５は屋外側の部分が障子の框を覆っていればよく、必ずしも見込み面の全面が障子の框と面一になっている必要はない。
【００６５】
［実施形態２］
次に、断熱障子と断熱枠とから構成されるサッシを生かしつつ、特にその断熱障子をそのまま生かし、窓枠を発展的に組み替えることにより、断熱性能を多段階に変更できる組み替え断熱サッシの実施形態について説明する。
【００６６】
基本となる断熱サッシＦ４は次のように構成されている。
【００６７】
図１０および図１１は壁躯体１の開口部Ａに嵌め込まれた断熱枠Ｆ４と、この断熱枠Ｆ４の内側に建て込まれ、屋外側に水平方向に突出して開閉可能に配置された断熱障子Ｄ２とから構成された平行窓サッシで、上述のものと同様に、リンク機構によって断熱障子Ｄ２が屋外側に平行に開き移動するようになっている。
【００６８】
断熱障子Ｄ２は、金属製の上框３と下框４と左右の縦框５とを框組みして内側にペアガラス６を嵌め込むとともに、上記框材の屋内側の面を合成樹脂製の断熱材４７で覆ったものである。
【００６９】
断熱枠Ｆ４は屋外側の金属枠Ｆ１ｂと屋内側の樹脂枠Ｐ１ｂとを結合した構成である。
【００７０】
金属枠Ｆｂは金属上枠７、金属下枠８および金属縦枠９とから構成されている。
【００７１】
金属上枠７は、主に、下方に障子Ｄ２を収納配置可能に形成された上枠本体１０と、上枠本体１０の屋内側から上方に突出する取付フィン１１ａと、建物開口部Ａの内周に配置された額縁１９ａの屋外側の端面に対する係合縁１２ａと、上枠本体１０の屋内側の下面に形成されたあり溝状の係止溝３３ａとから構成されている。
【００７２】
金属下枠８は、主に、上方に障子を収納配置可能に形成された下枠本体１７と、下枠本体１７の屋内側から下方に突出する取付フィン１１ｂと、下枠本体１７の見込み面の上方に形成された仕切縁１３ｂと、建物開口部Ａの内周に配置された額縁１９ｂの屋外側の端面に係合する係合縁１２ｂとから構成されている。上記係合縁１２ｂの反対側の取付縁１４ｂには合成樹脂製のアングル材１５ｂが取り付けられている。
【００７３】
金属縦枠９は、主に、内側に障子を収納配置可能に形成された縦枠本体１８と、縦枠本体１８の屋内側から外側方に突出する取付フィン１１ｃと、建物開口部Ａの内周に配置された額縁１９ｃの屋外側の端面に対する係合縁１２ｃと、縦枠本体１８の屋内側の内側に形成された係止溝３３ｃとから構成されている。
【００７４】
次に、樹脂枠Ｐ３は樹脂上枠２１と樹脂下枠２２と左右の樹脂縦枠２３とから構成され、樹脂上枠２１には、中空本体４８の上部に金属上枠７の係止溝３３ａに係止する係止部３５ａが形成され、また屋外側には上記断熱障子Ｄ２の上框３の屋内面に接触する気密材嵌合溝４９が形成されているとともに、屋内側には室内壁の一部である額縁１９ａに取付可能なアングル部２８ａが形成されている。
【００７５】
樹脂下枠２２は、上記アングル部材１５ｂと、金属下枠８の仕切縁１３ｂに係止してその屋内側を覆う被覆部材５１とを連続させてなるものである。
【００７６】
樹脂縦枠２３は金属縦枠９の屋内側の面を隠すように直角に形成され、その外方に金属縦枠９の係止溝３３ｃに係止する係止部３５ｃが形成され、屋内側に室内壁の一部である額縁１９ｃに取付可能なアングル部２８ｃが形成されている。
【００７７】
なお、上記樹脂枠の屋内側には網戸２０が取り付けられている。
【００７８】
上記断熱サッシによれば通常の断熱効果が得られる。
【００７９】
次に、図１２および図１３は、前記図８および図９に示された断熱サッシを生かして断熱性能を高めた組み替え断熱サッシの形態で、断熱障子Ｄ２をそのまま生かすとともに、上記断熱障子Ｄ２は上記断熱枠Ｆ４中の金属枠Ｆｂを活用した断熱枠Ｆ５と組み替えられた構成となっている。
【００８０】
上記断熱サッシＦ５は、上記断熱障子Ｄ２を摺動自在に収納可能に構成された金属製の金属枠Ｆｂの屋内側に、前記開口部Ａの閉鎖時に前記障子Ｄ２の見付け面を覆う大きさの合成樹脂製樹脂枠Ｐ４を結合してなるものであり、金属枠は図１０および図１１に示したものと同じ構成である。
【００８１】
樹脂枠Ｐ４は樹脂上枠２１と樹脂下枠２２と樹脂縦枠２３とから構成され、樹脂上枠２１には、中空部２４の上部に金属上枠７の係止溝３３ａに係止する係止部３５ａが形成され、また屋外側には気密材嵌合溝４９が形成されているとともに、屋内側には室内壁の一部である額縁１９ａに取付可能なアングル部２８ａが形成されている。
【００８２】
樹脂下枠２２は、金属下枠８の屋内側取付縁１４ｂに係止して額縁１９ｂの屋外側端面に取付可能なアングル部２８ｂを備えた下部下枠２２ａと、金属下枠８の仕切縁１３ｂの屋内側の見付け面を覆う係合縁５３の上端から屋内側に延出する水平部５４と水平部５４の先端から上記下部材のアングル部２８ｂの先端に垂下する垂直部５５とから構成された上部下枠２２ｂとを一体に結合したもので、全体として角筒状に形成されている。
【００８３】
樹脂縦枠２３には、金属縦枠９の屋内側の面を隠す中空部２４の外方に金属縦枠９の係止溝３３ｃに係止する係止部３５ｃが形成され、屋内側に室内壁の一部である額縁１９ｃに取付可能なアングル部２８ｃが形成されている。
【００８４】
上記構成の樹脂枠Ｐ４は、障子Ｄ２の閉鎖時には障子の框材の屋内側見付面を覆うように配置されている。したがって、障子Ｄ２の開口部Ａ（ペアガラスの部分）と樹脂枠Ｐ４の内周に形成された開口部Ａとはほぼ見込み方向において略面一か、または樹脂枠Ｐ４の方が小さくなるように配置されている。
【００８５】
また、樹脂枠Ｐ４の屋内側見付面に建物を構成する室内壁が配置可能とされ、樹脂枠Ｐ４の内周の開口部Ａと室内壁を構成する額縁１９ａ、１９ｂ、１９ｃによる開口部Ａの内周面とは屋内外方向（見込み方向）に略面一になるように配置されている。
【００８６】
上記組み替え断熱サッシによれば、図８および図９の断熱サッシのうち、断熱障子Ｄ２と断熱枠Ｆ４中の金属枠Ｆｂをそのまま生かし、上記金属枠Ｆｂに樹脂枠Ｐ４を取り付け、上記断熱枠Ｆ４をこの断熱枠Ｆ５に組み替えることで金属枠Ｐ４の断熱効果を高め、さらに樹脂枠Ｐ４が開口部Ａの閉鎖時に前記金属障子Ｐ３の見付け面を覆うとともに、樹脂枠Ｐ４の屋内側見付面には建物を構成する室内壁が配置可能で、樹脂枠Ｐ４の内周の開口部と室内壁を構成する額縁１９ａ１９ｃによる開口部Ａの内周面とはほぼ見込み方向に略面一になるように配置されるから、さらに一層断熱性能を高めることができる。
【００８７】
また、障子の開口部と窓枠の開口部と室内壁の開口部（上部と両側部）とを略同じにすることができるから、屋内側からは樹脂枠のみが見えることになるので、障子の框が金属であっても、ガラス面の周囲の部分があたかも単一の合成樹脂材で構成されているように見え、すっきりした見栄えのよいサッシとなる。したがって、意匠性に優れる内観が得られる。
【００８８】
次に、図１４および図１５は、前記図１２および図１３に示された断熱サッシの断熱障子Ｄ２を生かして断熱性能を高めた組み替え断熱サッシの形態で、上記断熱障子Ｄ２は上記断熱枠Ｆ５に代えて別の断熱専用の断熱枠Ｆ６に組み替えられた構成となっている。
【００８９】
上記断熱サッシは、上記断熱障子Ｄ２を摺動自在に収納可能に構成された金属製の金属枠Ｆｃの屋内側に、前記開口部Ａの閉鎖時に前記断熱障子Ｄ２の見付け面を覆う大きさの合成樹脂製樹脂枠Ｐ５を結合してなるものである。
【００９０】
金属枠Ｆｃのうち、金属下枠８のみが図１２の形態と異なっているので、金属上枠７と金属縦枠９の説明は省略する。
【００９１】
金属下枠８は、主に、上方に障子Ｄ２を収納配置可能に形成された下枠本体１７と、下枠本体１７の屋内側から下方に突出する取付フィン１１と、下枠本体１７の見込み面の上方に形成された仕切縁１３ｂと、建物開口部Ａの内周に配置された額縁１９ｂの屋外側の端面に係合する係合縁１２ｂとから構成されている。上記係合縁１２ｂの反対側には取付縁１４ｂが形成されている。
【００９２】
次に、樹脂枠Ｐ５は樹脂上枠２１と樹脂下枠２２と樹脂縦枠２３とから構成され、樹脂上枠２１には、中空部２４の上部に金属上枠７の取付溝３３ａに係止する係止部３５ａが形成され、また屋外側には金属上枠７の仕切縁１３ａに係止する係止溝３６が形成されているとともに、屋内側には室内壁の一部である額縁１９ｂに取付可能なアングル部２８ｂが形成されている。
【００９３】
樹脂下枠２２は下部下枠２２ａと上部下枠２２ｂとからなり、下部下枠２２ａには金属下枠８の係止溝３３ｂに係止可能な爪状の係止部３５ｂが形成され、また屋外側は上記仕切縁１３ｂの上端に係合し、屋内側には開口部Ａの額縁１９ｂの上面に取付可能なアングル部２８ｂが形成されているとともに、上部には係止溝３８が形成されている。これに対し、上部下枠２２ｂには、中空部２４の下部に下部下枠２２ａの係止溝３５ｂに係止する爪状の係止部４２が形成され、中空部２４の屋内側にはアングル部２８ｂの上面に係合するＬ形部４３が形成され、また中空部２４の屋外側の面は上記仕切縁１３ｂの延長に沿って延長形成されている。
【００９４】
樹脂縦枠２３には、金属縦枠９の屋内側の面を隠すように中空部２４を有する縦枠本体１８の外方に金属縦枠９の取付溝３３ｃに係止する係止部３５ｃが形成され、屋内側に室内壁の一部である額縁１９に取付可能なアングル部２８ｃが形成されている。なお、樹脂縦枠２３の屋外側には網戸２０が取り付けられている。
【００９５】
上記樹脂枠は、障子の閉鎖時には障子の框材の屋内側見付面を覆うように配置されている。また、障子の開口部Ａ（ペアガラスの面）と樹脂枠の内周に形成された開口部Ａとはほぼ見込み方向に略面一か、または樹脂枠の方が小さくなるように配置されている。
【００９６】
また、樹脂枠Ｐ５の屋内側見付面には建物を構成する室内壁を配置可能とされ、樹脂枠Ｐ５の内周の開口部Ａと室内壁を構成する額縁１９ａ、１９ｂ、１９ｃによる開口部Ａの内周面とはほぼ屋内外方向（見込み方向）に略面一になるように配置されている。
【００９７】
上記組み替え断熱サッシによれば、上記断熱障子Ｄ２をそのまま活用し、窓枠を上記断熱枠とは異なる断熱専用の断熱枠Ｆ６とし、上記断熱枠Ｆ５をこの断熱枠Ｆ６に組み替えることで断熱効果を高め、さらに樹脂枠Ｐ５が開口部Ａの閉鎖時に前記金属障子の見付け面を覆うとともに、樹脂枠Ｐ５の屋内側見付面には建物を構成する室内壁が配置可能で、樹脂枠Ｐ５の内周の開口部と室内壁を構成する額縁１９ａ、１９ｃによる開口部Ａの内周面とはほぼ見込み方向に略面一になるように配置されるから、さらに一層断熱性能を高めることができる。
【００９８】
また、障子の開口部と窓枠の開口部と室内壁の開口部（上部と両側部）とを略同じにすることができるから、屋内側からは樹脂枠のみが見えることになるので、障子の框が金属であっても、ガラス面の周囲の部分があたかも単一の合成樹脂材で構成されているように見え、すっきりした見栄えのよいサッシとなる。したがって、意匠性に優れる内観が得られる。
【００９９】
上述の組み替え断熱サッシによれば、図１６に示されるように、共通の断熱障子Ｄ２に対し、
（１）断熱枠Ｆ４
（２）断熱枠（上記断熱枠を生かした枠）Ｆ５
（３）断熱枠（専用枠）Ｆ６
の３段階の断熱性能を備えた窓枠の中から、住環境に最も適したものを選択することができる。
【０１００】
［実施形態３］
組み替え断熱サッシは、図１８に示されるように、断熱枠（Ｆ５又はＦ６）に対し、金属障子又は断熱障子を組み替える構成としてもよい。
【０１０１】
［実施形態４］
最終的には、組み替え断熱サッシは、図１９に示されるように、
金属障子Ｄ１に対して
（１）金属枠Ｆ１
（２）断熱枠Ｆ２
（３）断熱枠Ｆ３
（４）断熱枠Ｆ４
（５）断熱枠Ｆ５
（６）断熱枠Ｆ６
を組み替え、あるいは
断熱障子Ｄ２に対して
（１）断熱枠Ｆ２
（２）断熱枠Ｆ３
（３）断熱枠Ｆ４
（４）断熱枠Ｆ５
（５）断熱枠Ｆ６
を組み替える構成としてもよい。
【０１０２】
上述のように、上記組み替えサッシは、既存のサッシの枠組みの範囲内で金属枠に収納されるものとして構成された金属障子、あるいは断熱枠に収納されるものとして構成された断熱障子をそのまま活用しつつ、これらをいろいろな断熱枠と組み替え、さらに室内壁の断熱性も活用することにより、サッシ全体の断熱性能を低断熱から高断熱までの多段階に変更でき、サッシの選択の幅を広くすることができる。
【０１０３】
また、単に既存の障子と窓枠とを適宜組み合わせるものではなく、断熱枠は金属部に一般サッシの金属枠を利用してその金属枠に樹脂枠を結合させたり、断熱サッシを構成している金属枠を利用し、その樹脂枠だけを替えたりすることによって別の断熱枠を製造するものである。したがって、樹脂枠に比べてコストの高い金属枠を共通化することによって、需要の寡多に対応できるので、材料の無駄が少なくなり、コストを節減することができる。
【０１０４】
さらに、障子の開口部と窓枠の開口部と室内壁の開口部（上部と両側部）とを略同じにすることができるから、屋内側からは樹脂枠のみが見えることになるので、障子の框が金属であっても、ガラス面の周囲の部分があたかも単一の合成樹脂材で構成されているように見え、すっきりした見栄えのよいサッシとなる。したがって、意匠性に優れる内観が得られる。
【０１０５】
なお、上記組み替えサッシは、平行窓だけでなく、横辷り出し窓や、縦滑り窓、ＦＩＸ窓等の窓にも適用することができる。
【図面の簡単な説明】
【０１０６】
【図１】基本となる金属サッシの縦断面図である。
【図２】上記金属サッシの横断面図である。
【図３】組み替えサッシの縦断面図である。
【図４】上記組み替えサッシの横断面図である。
【図５】他の組み替えサッシの縦断面図である。
【図６】上記組み替えサッシの横断面図である。
【図７】組み替え用断熱枠の下枠の縦断面図である。
【図８】別の組み替えサッシの縦断面図である。
【図９】上記組み替えサッシの横断面図である。
【図１０】基本となる断熱サッシの縦断面図である。
【図１１】上記断熱サッシの横断面図である。
【図１２】組み替えサッシの縦断面図である。
【図１３】上記組み替えサッシの横断面図である。
【図１４】他の組み替えサッシの縦断面図である。
【図１５】上記組み替えサッシの横断面図である。
【図１６】金属障子を中心とした組み替え表図である。
【図１７】断熱障子を中心とした組み替え表図である。
【図１８】断熱枠を中心とした組み替え表図である。
【図１９】金属障子と断熱障子を中心とした組み替え表図である。
【符号の説明】
【０１０７】
Ｄ１  金属障子
Ｄ２  断熱障子
Ｆ１、Ｆａ、Ｆｂ  金属枠
Ｆ２、Ｆ３、Ｆ４、Ｆ５、Ｆ６  断熱枠
Ｐ１、Ｐ２、Ｐ３、Ｐ４、Ｐ５  樹脂枠
【図１】
2007146442.tif 000003
【図２】
2007146442.tif 000004
【図３】
2007146442.tif 000005
【図４】
2007146442.tif 000006
【図５】
2007146442.tif 000007
【図６】
2007146442.tif 000008
【図７】
2007146442.tif 000009
【図８】
2007146442.tif 000010
【図９】
2007146442.tif 000011
【図１０】
2007146442.tif 000012
【図１１】
2007146442.tif 000013
【図１２】
2007146442.tif 000014
【図１３】
2007146442.tif 000015
【図１４】
2007146442.tif 000016
【図１５】
2007146442.tif 000017
【図１６】
2007146442.tif 000018
【図１７】
2007146442.tif 000019
【図１８】
2007146442.tif 000020
【図１９】
2007146442.tif 000021